(57)【要約】【課題】電話機本体に対するハンドセット載置台の位置をより容易に変更できる卓上電話機を提供すること。【解決手段】卓上電話機は、電話機本体と、ハンドセットが載置されるハンドセット載置台と、ハンドセット載置台が電話機本体の側面に配置された状態で電話機本体とハンドセット載置台とを連結する連結部と、を備え、ハンドセット載置台は、鉛直方向に延びる軸を回転軸として電話機本体に回転可能に連結される。【選択図】図１
2017195575.tif 000002
【特許請求の範囲】
【請求項１】
電話機本体と、
ハンドセットが載置されるハンドセット載置台と、
前記ハンドセット載置台が前記電話機本体の側面に配置された状態で該電話機本体と該ハンドセット載置台とを連結する連結部と、を備え、
前記ハンドセット載置台は、鉛直方向に延びる軸を回転軸として前記電話機本体に回転可能に連結される卓上電話機。
【請求項２】
前記電話機本体は、錐形状に形成され、
前記連結部は、前記電話機本体の頂部近傍に配置される請求項１に記載の卓上電話機。
【請求項３】
前記電話機本体は、該電話機本体の側面に配置される操作部を備え、
前記ハンドセット載置台は、前記操作部を挟んで水平方向の一方と他方との間で移動可能に前記電話機本体に連結される請求項１又は２に記載の卓上電話機。
【請求項４】
前記ハンドセット載置台の下端部は、前記電話機本体の設置面に接地しない位置に配置される請求項１〜３のいずれかに記載の卓上電話機。
【発明の詳細な説明】
【技術分野】
【０００１】
本発明は、卓上電話機に関する。より詳細には、電話機本体と、ハンドセットが載置されるハンドセット載置台と、を備え、このハンドセット載置台の位置を変更可能な卓上電話機に関する。
【背景技術】
【０００２】
従来、ビジネスデスク等に載置されて使用される卓上電話機の多くは、右利きのユーザに対応しており、受話器（ハンドセット）が電話機本体の左側に配置されている。これに対し、電話機本体と、この電話機本体とは別体に構成されたハンドセット載置台と、を備え、ハンドセット載置台を電話機本体の左側又は右側に配置可能に構成した卓上電話機が提案されている（例えば、特許文献１及び２参照）。
【先行技術文献】
【特許文献】
【０００３】
【特許文献１】実用新案登録第３１６０２１３号公報
【特許文献２】特開２００６−１８６７２９号公報
【発明の概要】
【発明が解決しようとする課題】
【０００４】
特許文献１及び２において提案された卓上電話機では、電話機本体とハンドセット載置台とを棒状の部材により連結すると共に、ハンドセット載置台を、電話機本体の上面側又は下面側から電話機本体を跨ぐようにして移動させることでハンドセット載置台の位置を変更可能としている。
このように、電話機本体を跨ぐようにしてハンドセット載置台を移動させる従来の卓上電話機は、ハンドセット載置台の位置の変更を行う場合に電話機本体を持ち上げる必要があり、位置の変更を行うことが煩雑な作業となっていた。
【０００５】
従って、本発明は、電話機本体に対するハンドセット載置台の位置をより容易に変更できる卓上電話機を提供することを目的とする。
【課題を解決するための手段】
【０００６】
本発明によれば、電話機本体と、ハンドセットが載置されるハンドセット載置台と、前記ハンドセット載置台が前記電話機本体の側面に配置された状態で該電話機本体と該ハンドセット載置台とを連結する連結部と、を備え、前記ハンドセット載置台は、鉛直方向に延びる軸を回転軸として前記電話機本体に回転可能に連結される卓上電話機が提供される。
【発明の効果】
【０００７】
本発明によれば、電話機本体に対するハンドセット載置台の位置をより容易に変更できる卓上電話機を提供できる。
【図面の簡単な説明】
【０００８】
【図１】本発明の一実施形態に係る卓上電話機を示す斜視図である。
【図２】一実施形態の卓上電話機を示す分解斜視図である。
【図３】一実施形態の卓上電話機のハンドセットとハンドセット載置台とを示す斜視図である。
【図４】一実施形態の卓上電話機の一部を拡大した部分拡大図である。
【図５】一実施形態の卓上電話機の電話機本体に対するハンドセット載置台の位置を示す正面図であり、（Ａ）は、電話機本体に対してハンドセット載置台を左側に位置させた状態を示し、（Ｂ）は、電話機本体に対してハンドセット載置台を中央に位置させた状態を示し、（Ｃ）は、電話機本体に対してハンドセット載置台を右側に位置させた状態を示す。
【発明を実施するための形態】
【０００９】
以下、本発明の卓上電話機の好ましい一実施形態について図面を参照しながら説明する。
本実施形態の卓上電話機１は、図１及び図２に示すように、電話機本体１０と、ハンドセット２０と、ハンドセット２０が載置されるハンドセット載置台３０と、電話機本体１０とハンドセット載置台３０とを連結する連結部４０と、を備える。
【００１０】
電話機本体１０は、図１及び図２に示すように、錐状に形成され、底面がデスク等の設置面に載置される。電話機本体１０は、錐状の本体部１１と、この本体部１１の底面に配置される脚部１２と、本体部１１の側面に配置される操作部１３及びスピーカ１４と、本体部１１の頂部に形成される開口１５と、を備える。
【００１１】
本体部１１は、図１及び図２に示すように、少なくとも一部（中心角のうちの少なくとも一部に対応する範囲）が円錐状に形成される。また、本体部１１の頂部は、本体部１１の軸方向に垂直な平面となっている。
【００１２】
脚部１２は、本体部１１の底面に複数箇所配置される。これにより、本体部１１の底面と設置面Ｌとの間には、所定の高さの空間が形成される（図４参照）。
【００１３】
操作部１３は、平面状に形成され、本体部１１の側面において曲面で構成された部分に配置される。操作部１３は、例えば、液晶パネルにより構成され、この操作部１３を操作することで電話の発信等が行われる。
スピーカ１４は、操作部１３の上部に配置される。
【００１４】
開口１５は、本体部１１の頂部において、鉛直方向に延びて形成される。開口１５の内壁には、ねじ溝（図示せず）が形成される。この開口１５は、後述の連結部４０の一部を構成する。
【００１５】
ハンドセット２０は、図１〜図３に示すように、把持部２１と、この把持部２１の一端側に配置されるスピーカユニット２２と、把持部２１の他端側に配置されるマイクユニット２３と、を備える。
把持部２１は、棒状に形成される。
【００１６】
スピーカユニット２２は、把持部２１と一体的に形成される。スピーカユニット２２は、把持部２１の一の側面側から膨出した形状に形成される。また、スピーカユニット２２の膨出した部分における把持部２１側に位置する面には、１つの溝２４が形成される。
【００１７】
マイクユニット２３は、把持部２１と一体的に形成される。マイクユニット２３は、把持部２１に対して、スピーカユニット２２が膨出する側と同じ側に膨出した形状に形成される。また、マイクユニット２３の膨出した部分における端部側（把持部２１側と反対側）に位置する面には、２つの溝２５が形成される。
【００１８】
ハンドセット載置台３０は、図３に示すように、載置台本体３１と、この載置台本体３１の一端側に配置される第１保持部３２と、載置台本体３１の他端側に配置される第２保持部３３と、第１保持部３２から延出するフランジ部３８と、を備える。
載置台本体３１は、ハンドセット２０の把持部２１と略同じ長さの棒状又は板状に形成される。
【００１９】
第１保持部３２は、載置台本体３１と一体的に形成され、スピーカユニット２２を保持する。第１保持部３２は、板状に形成されると共に、スピーカユニット２２を載置可能な幅で形成された凹部３６と、この凹部３６の内側面に配置される突起３４と、を備える。
凹部３６の内側面のうち、先端部（載置台本体３１と反対側）に位置する内側面は、切り欠かれている。これにより、スピーカユニット２２を切り欠きから凹部３６内に収容することが可能になっている。
【００２０】
突起３４は、凹部３６の内側面のうち、載置台本体３１側に位置する内側面に配置される。この突起３４は、スピーカユニット２２の溝２４に係合可能となっており、突起３４がスピーカユニット２２の溝２４に係合することにより、ハンドセット載置台３０に載置されたハンドセット２０の脱落が防止される。
【００２１】
第２保持部３３は、載置台本体３１と一体的に形成され、マイクユニット２３を保持する。第２保持部３３は、板状に形成されると共に、マイクユニット２３を載置可能な幅で形成された凹部３７と、この凹部３７の内側面に配置される突起３５と、を備える。
【００２２】
突起３５は、凹部３７の内側面のうち、先端部（載置台本体３１と反対側）に位置する内側面に２つ配置される。２つの突起３５は、マイクユニット２３の２つの溝２５に係合可能となっており、突起３５がマイクユニット２３の溝２５に係合することにより、ハンドセット載置台３０に載置されたハンドセット２０の脱落が防止される。
【００２３】
フランジ部３８は、板状に形成される。フランジ部３８は、第１保持部３２の先端部から載置台本体３１の延びる方向（長手方向）に対して、所定の角度、屈曲して延びる。フランジ部３８には、挿通孔３９が形成される。本実施形態では、フランジ部３８の屈曲角度は、電話機本体（本体部１１）の側面と水平面とのなす角度と等しく設定される。
このフランジ部３８は、連結部４０の一部を構成する。
【００２４】
以上のハンドセット載置台３０は、フランジ部３８が電話機本体１０（本体部１１）の頂部に位置し、載置台本体３１、第１保持部３２及び第２保持部３３が電話機本体１０（本体部１１）の傾斜する側面に沿うように、電話機本体１０に取り付けられる。
ハンドセット載置台３０は、図４に示すように、電話機本体１０に取り付けられた状態で、下端部３０ａの位置が設置面Ｌよりもわずかに上方に位置する大きさに構成される。また、ハンドセット載置台３０において、フランジ部３８の延出長さ（挿通孔３９の中心から第１保持部３２との境界部分までの長さ）は、ハンドセット載置台３０が電話機本体１０に取り付けられた状態で、載置台本体３１、第１保持部３２及び第２保持部３３が電話機本体１０の側面に接触しない長さに設定される。
【００２５】
連結部４０は、電話機本体１０の側面に配置された状態のハンドセット載置台３０と、電話機本体１０と、を連結する。より詳細には、連結部４０は、電話機本体１０とハンドセット載置台３０と、を、ハンドセット載置台３０が鉛直方向に延びる軸を回転軸として電話機本体１０に回転可能となるように連結する。
【００２６】
連結部４０は、電話機本体１０（本体部１１）に形成された開口１５と、フランジ部３８と、ボルト４１と、を含んで構成される。
本実施形態では、ボルト４１は、頭部４２及び軸部４３を備え、軸部４３は、頭部４２側に配置される断面多角形形状の圧接部４３１と、先端側に配置されるネジ部４３２と、を備える。圧接部４３１の角部分における径は、フランジ部３８の挿通孔３９の内径と略等しく形成される。ネジ部４３２には、電話機本体１０の開口１５に形成されたネジ溝に螺合可能なねじ山が形成される。
【００２７】
以上の連結部４０において、電話機本体１０とハンドセット載置台３０とを連結する場合、まず、ハンドセット載置台３０のフランジ部３８の挿通孔３９の位置と電話機本体１０の開口１５の位置とが一致するように、ハンドセット載置台３０を電話機本体１０の側面に配置する。
【００２８】
次いで、ボルト４１を挿通孔３９及び開口１５に挿入し、ボルト４１のネジ部４２２を開口１５に螺合させる。ここで、ボルト４１の軸部４３には、頭部４２側に圧接部４３１が形成されているため、ボルト４１を開口１５に螺合させた状態では、フランジ部３８（挿通孔３９）には、圧接部４３１が配置される。
【００２９】
これにより、ハンドセット載置台３０は、鉛直方向に延びる軸（ボルト４１の軸部４３）を回転軸として電話機本体１０に回転可能に連結される。
また、ボルト４１の圧接部４３１及びフランジ部３８の挿通孔３９により、いわゆるトルクヒンジ構造が形成される。よって、ハンドセット載置台３０を、電話機本体１０の側面における任意の位置にぐらつきが生じないように配置できる。
【００３０】
尚、本実施形態では、図５に示すように、ハンドセット載置台３０は、操作部１３を挟んで水平方向の一方と他方との間で移動可能に電話機本体１０に連結される。
【００３１】
以上の卓上電話機１は、以下のようにして用いられる。
まず、図４及び図５（Ａ）に示すように、電話機本体１０は、設置面Ｌに対して設置される。このとき、例えば、ハンドセット２０及びハンドセット載置台３０は、操作部１３に対して左側に位置している。この状態では、卓上電話機１は、右利きのユーザの使用に適した構造となっている。この状態から、例えば、片手（右手）で電話機本体１０を軽く押さえつつ、もう一方の手（左手）でハンドセット２０及びハンドセット載置台３０を把持して電話機本体１０に対して逆時計回りの力を加える。すると、ハンドセット２０及びハンドセット載置台３０は、ボルト４１の軸部４３を中心として回転する。このとき、図４に示すように、ハンドセット載置台３０は、設置面Ｌに対して水平方向に移動するので、設置面に接地しない。これにより、電話機本体１０に対するハンドセット載置台３０の位置を容易に変更できる。
【００３２】
ハンドセット２０及びハンドセット載置台３０が電話機本体１０に対して逆時計回りに回転されると、図５（Ｂ）に示すように、ハンドセット２０及びハンドセット載置台３０は、操作部１３に重なる位置まで移動する。この状態では、ハンドセット載置台３０が操作部１３と重なるので発信をすることはできないが、着信を取ることは可能である。
【００３３】
次に、ハンドセット２０及びハンドセット載置台３０が更に同方向に回転されると、図５（Ｃ）に示すように、ハンドセット２０及びハンドセット載置台３０は、操作部１３に対して右側に配置される。この状態では、卓上電話機１は、左利きのユーザの使用に適した構造となる。これにより、操作部１３に対してハンドセット２０の位置を変更した状態において、発信することが可能となる。
【００３４】
図５（Ｃ）の状態において、逆に、ハンドセット２０及びハンドセット載置台３０が電話機本体１０に対して時計回りに回転されると、図５（Ｂ）に示すように、ハンドセット２０及びハンドセット載置台３０は、操作部１３に重なる位置まで移動する。次に、ハンドセット２０及びハンドセット載置台３０が更に同方向に回転されると、図５（Ａ）に示すように、ハンドセット２０及びハンドセット載置台３０は、操作部１３に対して左側に配置される。
【００３５】
以上説明した一実施形態の卓上電話機１によれば、以下のような効果を奏する。
【００３６】
卓上電話機１を、電話機本体１０と、この電話機本体１０の側面に配置されるハンドセット載置台３０と、を含んで構成し、ハンドセット載置台３０を、鉛直方向に延びる軸を回転軸として電話機本体１０に回転可能に連結した。これにより、回転軸を中心にハンドセット載置台３０を回転させることで、電話機本体１０の側面におけるハンドセット載置台３０が配置される位置を容易に変更させられる。よって、ユーザの利き手に応じてハンドセット載置台３０の位置を電話機本体１０における右側又は左側に変更できる等、ユーザの使い勝手や設置場所の制約に対して柔軟に対応できる。また、ユーザ自身により容易に任意の位置にハンドセット載置台３０を位置変更できる。
【００３７】
電話機本体１０を錘形状に形成し、連結部４０をこの電話機本体１０の頂部近傍に配置した。これにより、電話機本体１０の頂部を回転中心として電話機本体１０の側面に沿ってハンドセット載置台３０の位置を変更させられるので、ハンドセット載置台３０の位置の変更をより容易に行える。また、卓上電話機１のデザイン性を向上させられる。
【００３８】
操作部１３を電話機本体１０の側面に配置し、ハンドセット載置台３０を、操作部１３を挟んで水平方向の一方と他方との間で移動可能に電話機本体１０に連結した。これにより、ハンドセット載置台３０を、操作部１３の右側又は左側に配置させられ、また、ユーザに使用環境によっては、ハンドセット載置台３０を操作部１３に重ねて配置することもできる。よって、ハンドセット載置台３０の配置の自由度を高められるので、卓上電話機１の使い勝手をより向上させられる。
【００３９】
ハンドセット載置台３０の下端部３０ａを、電話機本体１０の下端部（設置面Ｌ）よりも上方に位置させた。これにより、ハンドセット載置台３０を接地させることなく位置変更できるので、ハンドセット載置台３０の位置を変更する場合における操作性をより向上させられる。
【００４０】
以上、本発明の卓上電話機の好ましい各実施形態につき説明したが、本発明は、上述の実施形態に制限されるものではなく、適宜変更が可能である。
例えば、電話機本体１０の形状は錐形状に限定されず、方形状や筒形状等の他の形状であってよい。
【００４１】
上記の実施形態の一部又は全部は、以下の付記のようにも記載されうるが、以下には限られない。
（付記１）  電話機本体と、
ハンドセットが載置されるハンドセット載置台と、
前記ハンドセット載置台が前記電話機本体の側面に配置された状態で該電話機本体と該ハンドセット載置台とを連結する連結部と、を備え、
前記ハンドセット載置台は、鉛直方向に延びる軸を回転軸として前記電話機本体に回転可能に連結される卓上電話機。
（付記２）  前記電話機本体は、錐形状に形成され、
前記連結部は、前記電話機本体の頂部近傍に配置される付記１に記載の卓上電話機。
（付記３）  前記電話機本体は、該電話機本体の側面に配置される操作部を備え、
前記ハンドセット載置台は、前記操作部を挟んで水平方向の一方と他方との間で移動可能に前記電話機本体に連結される付記１又は２に記載の卓上電話機。
（付記４）  前記ハンドセット載置台の下端部は、前記電話機本体の設置面に接地しない位置に配置される付記１〜３のいずれかに記載の卓上電話機。
【符号の説明】
【００４２】
１  卓上電話機
１０  電話機本体
１３  操作部
３０  ハンドセット載置台
４０  連結部
Ｌ  設置面
【図１】
2017195575.tif 000003
【図２】
2017195575.tif 000004
【図３】
2017195575.tif 000005
【図４】
2017195575.tif 000006
【図５】
2017195575.tif 000007